(57)【要約】【課題】RFIDの中に格納されたデータと有価な証券類が改竄された場合、有価な証券類の改竄検知を行うシステムを提供する。【解決手段】RFIDを格納する有価な証券類の場所を証券類一枚一枚ランダムにする。格納されているRFIDの周りの画像をデータ変換し、そのデータに秘密鍵で署名、その暗号データと証明書をRFIDに格納する。検知システムでは、RFIDに書き込まれているデータに対し電子証明書を使用し復号する。そのデータとRFIDが格納されている周りの画像を読取り、そのデータとを比較することにより署名の検証を行う。【選択図】図１
2008003738.tif 000002
【特許請求の範囲】
【請求項１】
有価な証券類の中の不定位置にRFIDを搭載し、PKI技術を用いて、RFIDの中にRFIDの周辺画像データに署名したデータを格納するシステム。
【請求項２】
システムにより有価な証券類中のRFIDの格納場所を検索し、PKI技術を用いて、RFID中の署名データの検証を行い、有価な証券類の有効性を検証する不正利用検知システム。
【発明の詳細な説明】
【技術分野】
【０００１】
本発明は、RFIDに有価な証券類画像データに署名したデータを格納し、有価な証券類に対し偽造が無いかの検証を行うシステムである。
【背景技術】
【０００２】
従来の紙幣、株券など有価な証券類の偽造抑止方法としては、特開2005-346447号公報に記載のような例がある。ここでは、株券など有価な証券類にRFIDを格納し、RFIDの中に画像データが格納された２次元コードを格納しており、RFIDの中に格納しているデータの改竄は想定されていない。
【０００３】
【特許文献１】特開2005-346447号公報
【発明の開示】
【発明が解決しようとする課題】
【０００４】
上記のように従来の紙幣、株券など有価な証券類の偽造抑止方法は、RFIDの中に格納されたデータと有価な証券類が改竄された場合、有価な証券類が有効なものとなってしまうという問題があった。
【０００５】
本発明は、RFIDの中に格納されたデータと有価な証券類が改竄された場合、有価な証券類の改竄検知を行うシステムを提供することを目的とする。
【課題を解決するための手段】
【０００６】
上記目的を達成するために本発明の有価な証券類に対しての改竄検知方法以下のような手段を用いる。本発明の方法は、有価な証券類の中のランダムにRFID を搭載ものとし、RFIDを搭載する場所は、有価な証券類を発行する機関または法人が管理可能とする。RFIDに格納するデータは、有価な証券類のRFIDが搭載されている周辺画像をデータ化し、PKI技術を用いて、そのデータに署名したデータを書き込むこととし、有価な証券類の周辺画像面積は有価な証券類を発行する機関または法人が管理可能とする。
【０００７】
一方、有価な証券類に搭載するRFIDの情報の読み取りは、RFIDの搭載場所をRFIDリーダで特定し、RFIDの搭載場所の周辺画像をスキャナにより読み取る。読み取ったデータとRFIDリーダでRFIDに格納されているデータとをPKI技術を用いて、有価な証券類が不正利用されていないかを検知する。
【発明の効果】
【０００８】
上記構成を有する本発明によれば、有価な証券類に対して不正利用検知を行なうことが可能となる。
【発明を実施するための最良の形態】
【０００９】
以下に有価な証券類の不正利用検知を可能にする実施形態について図面を用いて説明する。図１は、FRID１０２の位置を特定する手順を説明する。電磁波読取装置１０４は、証券類１０１の端からRFID１０２の電磁波の読み取りを行い、電磁波読取装置１０４はRFID１０２が出す周波数をメモリ１０５のRFID最大電磁波数（Z）１０８に格納する。またその時の位置データを業務サーバ１０３のメモリ１０４のRFID位置データ（X）１０６、RFID位置データ（Y）１０７に格納する。電磁波読取装置１０４を証券類１０１に沿ってずらして行き、RFID１０２の周波数の読み取りを行い、RFID電磁波数を計る。電磁波数がメモリ１０５に格納されているRFID最大電磁波数（Z）１０８より大きければ、メモリ１０５に格納されているRFID位置データ（X）１０６とRFID位置データ（Y）１０７とRFID最大電磁波数（Z）１０８の上書き処理を行う。
【００１０】
図２は、FRID１０２の周辺画像の読み取り手順を説明する。業務サーバ１０３に格納されているRFID位置データ（X）１０６及びRFID位置データ（Y）１０７は画像格納サーバ２０１に転送される。画像読取装置２０２はRFID位置データ（X）及びRFID位置データ（Y）の周辺画像を読み取り、画像格納サーバ２０１のメモリ２０３に画像データ２０４を格納する。
【００１１】
図３は、RFID１０２にデータを格納する手順を説明する。画像格納サーバ２０１に格納されている画像データ（A）２０４は書き込みサーバ３０１に転送される。書き込みサーバ３０１はPKI技術を用いて画像データ（A）２０４をハッシュ化し、メモリ３０３にハッシュ値（D）３０６を格納する。ハッシュ値（D）３０６は、秘密鍵により暗号化を行い、暗号データ（B）３０４を作成する処理を行う。RFIDリーダライタ３０２は、暗号データ（B）３０４及び電子証明書（C）３０５をRFID１０２に書き込む処理を行う。
【００１２】
図４は、RFID１０２に格納されているデータが正しいかの検証を行う手順を説明する。RFID１０２に格納されている暗号データ（B）及び電子証明書（C）３０５をRFIDリーダ４０２で読み取り、検証サーバ４０１のメモリ４０３に格納する。また、図２の画像読取装置２０２で読み取った画像データ２０４を検証サーバ４０１のメモリ４０３に格納する。検証サーバ４０１はPKI技術を用いて画像データ（A）をハッシュ化し、ハッシュ値（E）をメモリ４０３に格納する。また暗号データを、電子証明書（C）を用いて復号を行った復号データをメモリ４０３に格納する。検証サーバ４０１は、復号データ（D）４０４とハッシュ値（E）４０５との一致性を検証する。
【００１３】
図５は、有価な証券類を作成するシステムの概要図である。証券類１０１には、RFID１０２が装着されている。RFID１０２は、証券類１０１を構成する2枚の紙の間に装着するなどの方法によって証券類に装着されており、RFID１０２を装着する場所は、証券類１０１によってユニークである。有価な証券類を作成するシステムは、業務サーバ１０３、電磁波読取装置１０４、画像格納サーバ２０１、画像読取装置２０２、書き込みサーバ３０１、RFIDリーダライタ３０２を有する。
【００１４】
図６は、有価な証券類の不正利用検知システムの概要図である。有価な証券類の不正利用検知システムは、業務サーバ１０３、電磁波読取装置１０４、画像格納サーバ２０１、画像読取装置２０２、検証サーバ４０１、RFIDリーダ４０２を有する。
【００１５】
図７は、RFID位置格納サーバ１０３の概略構成を示す図である。図７に示すようにRFID位置格納サーバ１０３は、ＣＰＵ７０１と、キーボード７０２と、ディスプレイ７０３と、メモリ７０４と、磁気ディスク装置７０５とを有している。ＣＰＵ７０１は、RFID位置格納サーバ１０３全体の動作を制御する装置である。メモリ７０４は、各種処理プログラムやデータを格納する記憶装置である。メモリ７０４は、データ格納処理部７０６、データ更新処理部７０７を格納する。データ更新処理部７０７は、電磁波読み取り装置から送られていきたデータをデータ格納処理部７０６に格納し、最大電磁波数（Z）１０８が電磁波読み取り装置から送られていきたデータより小さい場合、データ格納処理部７０６に格納してあるRFID位置データ（X）１０６とRFID位置データ（Y）１０７とRFID最大電磁波数（Z）１０８を電磁波読み取り装置から送られてきたデータに更新をかけるプログラムを有している。
【００１６】
図８は、画像格納サーバ２０１の概略構成を示す図である。図８に示すように画像格納サーバ２０１は、ＣＰＵ８０１と、キーボード８０２と、ディスプレイ８０３と、メモリ８０４と、磁気ディスク装置８０５とを有している。ＣＰＵ８０１は、画像格納サーバ２０１全体の動作を制御する装置である。メモリ８０４は、各種処理プログラムやデータを格納する記憶装置である。メモリ８０４は、データ格納処理部８０６を格納する。データ格納処理部８０６は、RFID位置格納サーバ１０３からRFID位置データ（X）１０６とRFID位置データ（Y）１０７を取得するプログラムを有しており、RFID位置格納サーバ１０３から取得したRFID位置データ（X）１０６とRFID位置データ（Y）１０７を格納し、画像読取装置２０２にRFID位置データ（X）１０６とRFID位置データ（Y）１０７の周辺データを読み取らせるプログラム、画像読取装置２０２が読み取った画像データを取得し格納するプログラムを有している。
【００１７】
図９は、書き込みサーバ３０１の概略構成を示す図である。図９に示すように書き込みサーバ３０１は、ＣＰＵ９０１と、キーボード９０２と、ディスプレイ９０３と、メモリ９０４と、磁気ディスク装置９０５とを有している。ＣＰＵ９０１は、書き込みサーバ３０１全体の動作を制御する装置である。メモリ９０４は、各種処理プログラムやデータを格納する記憶装置である。メモリ９０４は、データ格納処理部９０６、画像取得処理部９０７、ハッシュ化処理部９０８、暗号化処理部９０９、電子証明書呼出処理部９１０、データ書込処理部９１１を格納する。画像取得処理部９０７は、画像格納サーバ２０１から画像データ（Ａ）２０４を取得するプログラムを有しており、画像格納サーバ２０１から取得した画像データ（Ａ）２０４をデータ格納処理部９０６に格納する。ハッシュ化処理部９０８は、データ格納処理部９０６から画像データ（Ａ）２０４を取り出し、ハッシュ化するプログラムを有しており、ハッシュ化されたハッシュ値（Ｄ）３０６をデータ格納処理部９０６に格納する。暗号化処理部９０９は、データ格納処理部９０６からハッシュ値（Ｄ）３０６を取り出し磁気ディスク装置９０５の中に格納してある秘密鍵を用いて暗号化するプログラムを有しており、暗号データ（Ｂ）３０４をデータ格納処理部９０６に格納する。電子証明書呼出処理部９１０は、磁気ディスク装置９０５の中に格納してある電子証明書（Ｃ）３０５を呼び出すプログラムを有しており、電子証明書（Ｃ）３０５をデータ格納処理部９０６に格納する。データ書込処理部９１１は、データ格納処理部９０６から暗号データ（Ｂ）３０４と電子証明書（Ｃ）３０５を呼び出し、ＲＦＩＤリーダライタ３０２に書き込み処理を行わせるプログラムを有している。
【００１８】
図１０は、検証サーバ４０１の概略構成を示す図である。図１０に示すように書き込みサーバ４０１は、ＣＰＵ１００１と、キーボード１００２と、ディスプレイ１００３と、メモリ１００４と、磁気ディスク装置１００５とを有している。ＣＰＵ１００１は、検証サーバ４０１全体の動作を制御する装置である。メモリ１００４は、各種処理プログラムやデータを格納する記憶装置である。メモリ１００４は、データ格納処理部１００６、画像取得処理部１００７、ハッシュ化処理部１００８、ＲＦＩＤ格納データ取得処理部１００９、復号化処理部１０１０、真偽判定処理部１０１１を格納する。画像取得処理部１００７は、画像格納サーバ２０１から画像データ（Ａ）２０４を取得するプログラムを有しており、画像格納サーバ２０１から取得した画像データ（Ａ）２０４をデータ格納処理部１００６に格納する。ハッシュ化処理部１００８は、データ格納処理部１００６から画像データ（Ａ）２０４を取り出し、ハッシュ化するプログラムを有しており、ハッシュ化されたハッシュ値（Ｄ）３０６をデータ格納処理部１００６に格納する。ＲＦＩＤ格納データ取得処理部１００９は、ＲＦＩＤリーダ４０２が読み込んだ暗号データ（Ｂ）３０４と電子証明書（Ｃ）３０５を取得するプログラムを有しており、暗号データ（Ｂ）３０４と電子証明書（Ｃ）３０５をデータ格納処理部１００６に格納する。復号化処理部１０１０は、データ格納処理部１００６から暗号データ（Ｂ）３０４と電子証明書（Ｃ）３０５を呼び出し電子証明書（Ｃ）３０５を用いて復号するプログラムを有しており、復号された復号データ（Ｄ）４０４をデータ格納処理部１００６に格納する。真偽判定処理部１０１１は、データ格納処理部１００６から復号データ（Ｄ）４０４とハッシュ値（Ｅ）４０５を呼び出し、一致性を検証するプログラムを有している。
【００１９】
図１１は、ＲＦＩＤ位置格納サーバ１０３のデータ更新処理部７０７の処理の流れを示すフローチャートである。データ更新処理部７０７は、データ格納処理部７０６の初期化を行う。（ステップ１１０１、１１０２、１１０３）。次にデータ更新処理部７０７は、有価な証券類１０１の横方向であるＸを1ずつ増やしていき（ステップ１１０６）、位置ＸのＲＦＩＤ周波数ｚを電磁波読取装置により電磁波を読み取らせ電磁波数ｚを取得する。取得した電磁波数ｚとデータ格納処理部７０６のRFID最大電磁波数（Z）との比較を行う（ステップ１１０８）。比較後データ格納処理部７０６のRFID最大電磁波数（Z）より電磁波数ｚが大きければ、Ｘをデータ格納処理部７０６のRFID位置データ（Ｘ）に格納し（ステップ１１０９）、Ｙをデータ格納処理部７０６のRFID位置データ（Ｙ）に格納し（ステップ１１１０）、RFID周波数をRFID最大電磁波数（Z）に格納する（ステップ１１１１）。Ｘが有価な証券類の末端Ｓと等しくなった場合（１１０７）、Ｙを1増やし以上の処理を行う。
【図面の簡単な説明】
【００２０】
【図１】実務形態のRFIDの位置を特定する利用手順を説明する図である。
【図２】実務形態のFRIDの周辺画像を読み取る利用手順を説明する図である。
【図３】実務形態のRFIDにデータを格納する利用手順を説明する図である。
【図４】実務形態のRFIDに格納されているデータが正しいかの検証を行う概要構成を示す図である。
【図５】実務形態の有価な証券類を作成するシステムの概要図である。
【図６】実務形態の有価な証券類の不正利用検知システムの概要図である。
【図７】実務形態のRFID位置格納サーバの概略構成を示す図である。
【図８】実務形態の画像格納サーバの概略構成を示す図である。
【図９】実務形態の書き込みサーバの概略構成を示す図である。
【図１０】実務形態の検証サーバの概略構成を示す図である。
【図１１】実務形態のＲＦＩＤ位置格納サーバのデータ更新処理部の処理の流れを示すフローチャートである。
【符号の説明】
【００２１】
１０１…、有価な証券類、１０２…RFID、１０３…RFID位置格納サーバ、１０４…電磁波読み取り装置、１０５…メモリ、１０６…RFID位置データ（X）、１０７…RFID位置データ（Y）、１０８…RFID最大電磁波数（Z）、２０１…画像格納サーバ、２０２…画像読取装置、２０３…メモリ、２０４…画像データ（A）、３０１…書き込みサーバ、３０２…RFIDリーダライタ、３０３…メモリ、３０４…暗号データ（B）、３０５…電子証明書（C）、３０６…ハッシュ値（D）、４０１…検証サーバ、４０２…RFIDリーダ、４０３…メモリ、４０４…復号データ（D）、４０５…ハッシュ値（E）、７０１…CPU、７０２…キーボード、７０３…ディスプレイ、７０４…メモリ、７０５…磁気ディスク装置、７０６…データ格納処理部、７０７…データ更新処理部、８０１…CPU、８０２…キーボード、８０３…ディスプレイ、８０４…メモリ、８０５…磁気ディスク装置、８０６…データ格納処理部、９０１…CPU、９０２…キーボード、９０３…ディスプレイ、９０４…メモリ、９０５…磁気ディスク装置、９０６…データ格納処理部、９０７…画像取得処理部、９０８…ハッシュ化処理部、９０９…暗号化処理部、９１０…電子証明書呼出処理部、９１１…データ書込処理部、１００１…CPU、１００２…キーボード、１００３…ディスプレイ、１００４…メモリ、１００５…磁気ディスク装置、１００６…データ格納処理部、１００７…画像取得処理部、１００８…ハッシュ化処理部、１００９…ＲＦＩＤ格納データ取得処理部、１０１０…復号化処理部、１０１１…真偽判定処理部。
【図１】
2008003738.tif 000003
【図２】
2008003738.tif 000004
【図３】
2008003738.tif 000005
【図４】
2008003738.tif 000006
【図５】
2008003738.tif 000007
【図６】
2008003738.tif 000008
【図７】
2008003738.tif 000009
【図８】
2008003738.tif 000010
【図９】
2008003738.tif 000011
【図１０】
2008003738.tif 000012
【図１１】
2008003738.tif 000013